(57)【要約】【課題】係止物におけるフック部とスライダの係合溝とを安定的に係合させることができる。【解決手段】ハウジングと、スライダとからなる押下式ロック装置であって、ハウジングの中空部にはスライダを収容可能な収容空間が形成されており、当該収容空間の内壁面には二つの対向するガイド溝が形成されており、そしてスライダは本体部に押下部が外側に向けて延出しており、係止物の下方で外側に向けて延出しているフック部が押下部表面の係合溝内に垂直で係合するとき、フック部の外側辺上の押え面またはその上方に傾斜して延出している斜面部により、係合溝に備えられている当接面に下方に向けて当接して、スライダの二つの側辺のガイド突条がガイド溝内で摺動して当接しつつ移動すると同時に、ハウジングの収容空間内に向けて水平移動する横置き状となる。【選択図】図２
2010190033.tif 000002
【特許請求の範囲】
【請求項１】
予め設計されている係止物に対して係合ロックさせ、またはロック状態を解除することが可能な押下式ロック装置であって、
ハウジングと、スライダとを備え、
前記ハウジングは中空の収容体であって、その中空部の収容空間にはスライダが収容されており、
前記スライダは、本体部を備えており、そして前記本体部には係合溝が備えられている押下部が外側に向けて延出するとともに、係合溝により、前記係止物の下方で外側に向けて延出されているフック部と相対的に垂直となって係合ロックされ、しかもフック部の外側辺には、係合溝に当接してスライダを水平移動させるための斜面部が斜め方向に延出していることを特徴とする押下式ロック装置。
【請求項２】
前記ハウジングは、収容空間の一方の側にガイドバーが設けられ、そしてガイドバーから離れた他方の側の内壁面には対向するガイド溝が形成されており、そしてスライダは、本体部の一方の側に作動部が外側に向けて延出しており、その作動部の上および下の二つの側辺には位置決め端が備えられている突起部がそれぞれ設けられるとともに、突起部の周辺にはガイドバーが摺動して当接しつつ位置決め可能な摺動路と、その外側にはガイド溝内で摺動して当接しつつ移動するガイド突条とが形成されていることを特徴とする請求項１に記載の押下式ロック装置。
【請求項３】
前記本体部における作動部に隣接する他方の側には係合溝が備えられている押下部が外側に向けて延出しており、しかも係合溝内壁面上には、予め設計されている係止物がフック部の外側辺上の押え面と、上方に向けて斜め方向に延出している斜面部で下方に向けて当接する当接面が形成されており、そしてスライダがハウジングの収容空間内部または外側に向けて水平移動する横置き状となるものであり、またスライダとハウジングとの間には付勢手段が位置決めされていることを特徴とする請求項２に記載の押下式ロック装置。
【発明の詳細な説明】
【技術分野】
【０００１】
本発明は、押下式ロック装置に関し、特に、二回押下することにより周期的に摺動・ロックさせることで係合動作を実現可能な押下式ロック装置であって、そのスライダ上の係合溝が係止物に備えられている係合部と相対的に垂直となって係合ロックする方式で行われ、ひいては全体的な構造上の高さを効果的に低減することで、製品を薄型化する設計要求に適合させることができる押下式ロック装置に関する。
【背景技術】
【０００２】
現在市販されている一般的な開閉ロック装置、扉のロック装置、収容ボックスのロック装置、携帯電話機またはＰＤＡのカバーロックなどの押下式ロック装置は、その多くが二つのツメで互いに挟持する構造である。例えば図８に示すように、従来の押下式ロック装置は、主に、ハウジングＡ内に、二回下することにより周期的に往復摺動を発生させるスライダＢが収容されており、そしてスライダＢは本体部Ｂ１と、その底部に設けられている当接部Ｂ２とを備えており、さらに、本体部Ｂ１の上方には作動部Ｂ３が延出している。
【０００３】
そして、作動部Ｂ３における突起Ｂ３１の周囲には、ガイドバーＡ１を摺動・ロックするための摺動路Ｂ３２が形成されており、本体部Ｂ１の一方の側には、扇状で可動移動する挟持ツメ部Ｂ４が外側に向けて連接されている。したがって、被挟持物ＣがスライダＢの当接部Ｂ２に当接したとき、スライダＢがハウジングＡ内のガイドバーＡ１を作動部Ｂ３の摺動路Ｂ３２で動作させ、同時に、挟持ツメ部Ｂ４を内側に向けて移動させる。
【０００４】
また、ガイドバーＡ１の他方の側で下方に向けて屈曲して相対している二つのガイド部Ａ２が挟持ツメ部Ｂ４の上方における二つ側のガイド突条Ｂ４１を案内することで、挟持ツメ部Ｂ４の端部が圧力を受けて被挟持物Ｃ上の凹部Ｃ１内で移動して、当接部Ｂ２との間で被挟持物Ｃを挟持する。
【先行技術文献】
【特許文献】
【０００５】
【特許文献１】特開平５−１２８９４０号公報
【発明の概要】
【発明が解決しようとする課題】
【０００６】
しかしながら上記に例示したような従来の押下式ロック装置は、使用時において、例えば以下のような欠点がある。
【０００７】
１．従来のスライダＢが具備する当接部Ｂ２および挟持ツメ部Ｂ４は二つの異なる部分に独立して設計されており、被挟持物Ｃが当接部Ｂ２に当接しなければ、挟持ツメ部Ｂ４が扇状で移動させて挟持・固定できないことから、挟持ツメ部Ｂ４と本体部Ｂ１との結合部分において過度に屈曲して構造的な破損がおきやすく、しかも全体的な使用寿命に影響しやすい。
２．従来のスライダＢは、ガイド突条Ｂ４１がハウジングＡに設けられている摺動路Ｂ３２で案内されることで挟持ツメ部Ｂ４が圧力を受けた後に下方に扇状で移動するため、挟持ツメ部Ｂ４と本体部Ｂ１との結合部分において、移動中の引動、屈曲力が過大となることによって位置ずれ、ガタが生じ、しかも被挟持物Ｃと挟持・固定された後でも、全体的な構造の安定性に劣り、引き抜きに対する強度が不足するなどの不具合が発生してしまう。
３．従来のスライダＢでは、本体部Ｂ１の底部に、被挟持物Ｃが当接した後に下方に移動させる当接部Ｂ２が設けられており、そしてハウジングＡ内部空間には当接部Ｂ２に対応させて移動に必要な空間を予め設けておけなければ、当接部Ｂ２と挟持ツメ部Ｂ４との間に形成された挟持空間で被挟持物Ｃを挟持・固定することはできないことから、ハウジングＡが大型化してしまい、高さも効果的に低減できず、全体的な構造が製品を薄型化する設計要求に適合させることができない。
【課題を解決するための手段】
【０００８】
本発明は、上記課題を解決することを目的として、予め設計されている係止物に対して係合ロックさせ、またはロック状態を解除することが可能な押下式ロック装置であって、ハウジングと、スライダとを備え、前記ハウジングは中空の収容体であって、その中空部の収容空間にはスライダが収容されており、前記スライダは、本体部を備えており、そして前記本体部には係合溝が備えられている押下部が外側に向けて延出するとともに、係合溝により、前記係止物の下方で外側に向けて延出されているフック部と相対的に垂直となって係合ロックされ、しかもフック部の外側辺には、係合溝に当接してスライダを水平移動させるための斜面部が斜め方向に延出していることを特徴とする押下式ロック装置を提供する。
【０００９】
上記押下式ロック装置において、前記ハウジングは、収容空間の一方の側にガイドバーが設けられ、そしてガイドバーから離れた他方の側の内壁面には対向するガイド溝が形成されており、そしてスライダは、本体部の一方の側に作動部が外側に向けて延出しており、その作動部の上および下の二つの側辺には位置決め端が備えられている突起部がそれぞれ設けられるとともに、突起部の周辺にはガイドバーが摺動して当接しつつ位置決め可能な摺動路と、その外側にはガイド溝内で摺動して当接しつつ移動するガイド突条とが形成されていることが好ましい。
【００１０】
上記押下式ロック装置において、前記本体部における作動部に隣接する他方の側には係合溝が備えられている押下部が外側に向けて延出しており、しかも係合溝内壁面上には、予め設計されている係止物がフック部の外側辺上の押え面と、上方に向けて斜め方向に延出している斜面部で下方に向けて当接する当接面が形成されており、そしてスライダがハウジングの収容空間内部または外側に向けて水平移動する横置き状となるものであり、またスライダとハウジングとの間には付勢手段が位置決めされていることが好ましい。
【００１１】
なお、上記の発明の概要は、本発明の必要な特徴の全てを列挙したものではなく、これらの特徴群のサブコンビネーションもまた、発明となりうる。
【発明の効果】
【００１２】
以上の説明から明らかなように、本発明によれば、係止物の下方で外側に向けて延出しているフック部が、スライダに備えられている係合溝内に垂直で係止されるとき、フック部の外側縁上の押え面またはその上方に向けて斜め方向に延出している斜面部により、係合溝に備えられている当接面に下方に向けて当接して、スライダの二つの側辺のガイド突条がハウジング内壁面における対応する二つのガイド溝内で摺動して当接しつつ移動すると同時に、ハウジングの収容空間内に向けて水平移動する横置き状となり、さらに係止物におけるフック部をもってスライダに備えられている係合溝と安定的な係合ロック効果をもたらし、ひいては全体構造上の高さおよび占有する空間位置を効果的に低減することで、製品を薄型化する設計要求に適合させることができる。
【図面の簡単な説明】
【００１３】
【図１】本発明の一実施形態に係る押下式ロック装置の立体外観図である。
【図２】本実施形態の押下式ロック装置の立体分解図である。
【図３】本実施形態の押下式ロック装置の他の視点における立体分解図である。
【図４】本実施形態の押下式ロック装置の平面断面図である。
【図５】本実施形態の押下式ロック装置の押下前の側面断面図である。
【図６】本実施形態の押下式ロック装置の押下時の側面断面図である。
【図７】本実施形態の押下式ロック装置の押下後の側面断面図である。
【図８】従来の押下式ロック装置の概略側面図である。
【発明を実施するための形態】
【００１４】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００１５】
図１、図２、図３、および図４は、本発明の一実施形態に係る押下式ロック装置の立体外観図、立体分解図、他の視点における立体分解図および平面断面図である。図中から明確なように、本実施形態の押下式ロック装置は、ハウジング１とスライダ２とを備える。
【００１６】
ハウジング１は、中空の収容体であって、その中空部にはスライダ２を収容可能な収容空間１０が形成されるとともに、収容空間１０の一方の側にはガイドバー１１が設けられ、そしてガイドバー１１から離れた他方の側の内壁面には二つの対向するガイド溝１２が形成されている。
【００１７】
スライダ２は、本体部２１を備え、ハウジング１における上記収容空間に収容されている。本体部２１の一方の側には作動部２２が外側に向けて延出している。そして、作動部２２の上および下の二つの側辺には位置決め端２２１１が備えられている突起部２２１がそれぞれ設けられるとともに、突起部２２１の周辺にはガイドバー１１が摺動して当接しつつ位置決め可能な摺動路２２２と、摺動路２２２の外側に配置されているガイド突条２３とが形成されている。さらには、本体部２１における作動部２２に隣接する他方の側には係合溝２４１が備えられている押動部２４が外側に向けて延出しており、その係合溝２４１内壁面上には当接面２４１１が形成されている。またスライダ２とハウジング１との間には付勢手段２５が取付けられている。
【００１８】
本実施形態の押下式ロック装置を組み立てるときには、まずスライダ２をハウジング１の収容空間１０内に圧入するとともに、作動部２２の上・下の二つの側辺のガイド突条２３をハウジング１における二つの対向するガイド溝１２内で摺動して当接しつつ移動させるが、このとき、ガイド溝１２の案内、規制によりスライダ２が収容空間１０内で位置ずれまたはガタが生じにくくなり、しかも付勢手段２５がスライダ２とハウジング１との間に弾性的に押し付ける状態で位置決めされて、本発明の全体の組立が完了する。
【００１９】
図５、図６、および図７は、本実施形態の押下式ロック装置の押動前の側面断面図、押動時の側面断面図および押動後の側面断面図である。図中から明確なように、スライダ２は、押下前には押動部２４の表面に設けられている係合溝２４１がハウジング１の開口部から外に露出して貫通した状態となっている。そして、係止物３の下方において外側に向けて延出しているフック部３１が係合溝２４１内に垂直に挿入されると、係止物３のフック部３１における外側辺に設けられた押え面３１１または斜面部３２における上方に向けて斜め方向に延出している斜面が係合溝２４１内側の当接面２４１１と当接する。
【００２０】
そして、係止物３が下方に移動するのに伴って、スライダ２が側方へ移動する。このとき、スライダ２の側方において上下に突出する二つのガイド突条２３がガイド溝１２に当接しつつガイド溝１２内を摺動しながら移動する。そして、スライダ２は、長手方向（水平方向）において付勢手段２５を押圧して弾性変形させる。そして、ハウジング１内のガイドバー１１が、作動部２２の突起部２２１周辺の摺動路２２２と摺動しつつ位置決めされる。スライダ２が水平移動してハウジング１の収容空間１０に収容されて位置決めされることで、ガイドバー１１が摺動して突起部２２１に備えられている位置決め端２２１１に当接すると、一回目の押下動作による位置決めが完了する。これにより、係止物３のフック部３１がスライダ２の押動部２４に設けられた係合溝２４１を通じてスライダ２と係合して安定したロック状態となる。
【００２１】
このような構造によって、スライダ２の移動中に位置ずれまたはガタが発生しにくく、しかも係止物３上のフック部３１が、押動部２４に備えられている係合溝２４１と相対的に垂直となった状態でスライダ２と係止物３とが係合ロックしているので、引き抜きに要する力および構造上の強度が向上する。また、スライダ２がハウジング１内部の収容空間１０にて水平移動する横置き状となり、全体構造設計上にて必要とされる高さおよびその占有する空間が小さくて済み、製品を薄型化する設計要求に適合させることができる。
【００２２】
一方、係止物３を解放したいときには係止物３を再度下方に押下してスライダ２をハウジング１に対して水平移動させる。このとき、ハウジング１内部の収容空間１０で水平移動させて、その二つの側辺上スライダ２のガイド突条２３がハウジング１のガイド溝１２に当接しつつガイド溝１２内を摺動しながら移動する。そして、ハウジング１内のガイドバー１１が位置決め端２２１１の規制から解放されると同時に、押圧されて弾性変形した状態にある付勢手段２５が解放される。そして、付勢手段２５がその弾性復帰力によってスライダ２を外側に向けて水平移動させることにより、スライダ２がロック前の位置にもどり、係止物３から延出しているフック部３１もまた係合溝２４１の規制から解放される。以上により、二回目の押下動作による位置決めが完了する。使用者は係止物３によりスライダ２を二回押下することで、ハウジング１内のガイドバー１１が突起部２２１周辺上の摺動路２２２に周期的な摺動・ロックを発生させて、係止物３に対する係合ロックの動作を行うことができる。
【００２３】
なお、本発明の押下式ロック装置は、上記実施形態に限られず、一般的な開閉ロック装置、扉のロック装置、携帯電話機、ＰＤＡまたはノート型パソコンのパネルのロック装置、カバーのロック装置、収容ボックスのロック装置など開閉または結合してロックするロック装置用として応用することができる。また、本実施形態の押下式ロック装置のスライダ２では、押動部２４上の係合溝２４１および係止物３下方に延出しているフック部３１は使用者のニーズまたは設計に応じて、相対的に垂直となる各種の係合ロックの方式で実施できるものであって、つまりは、フック部３１から上方に向けて斜め方向に延出している斜面部３２を係合溝２４１に当接させて、スライダ２がハウジング１の収容空間１０内または外側に向けて水平移動して、同時にスライダ２を二回押動することで、ハウジング１内のガイドバー１１が突起部２２１周辺上の摺動路２２２に周期的な摺動・ロックを発生させて、ひいては係止物３に対する係合ロックまたは解除動作できるようにすれば良い。
【００２４】
以上のように、本実施形態の押下式ロック装置の押下式ロック装置は、使用時において以下のような長所を有する。
１．スライダ２は作動部２２の二つの側辺のガイド突条２３がハウジング１内壁面における対応するガイド溝１２内で摺動して当接しつつ移動することで、ガイド溝１２の案内、規制によりスライダ２が収容空間１０内での移動中に安定して円滑となり位置ずれまたはガタが生じにくくなる。
２．スライダ２が係止物３に係合するとき、係止物３上のフック部３１が押動部２４に備えられている係合溝２４１内に係止されて相対的に垂直となる角度で係合ロックできるので、係合後における引き抜きに対する力および構造上の強度が向上すると同時に、過度の屈曲による構造上の損傷、その全体的な使用寿命への影響を回避することができる。
３．スライダ２がハウジング１内部の収容空間１０で水平移動する横置き状となるため、全体構造設計上にて必要とされる高さおよびその占有する空間位置を効果的に低減することで、製品を薄型化する設計要求に適合させることができる。
【００２５】
以上、本発明の実施形態について説明したが、本発明の技術的範囲は上記の実施形態に記載の範囲には限定されない。上記の実施形態に、多様な変更または改良を加えることができることは当業者に明らかである。
【符号の説明】
【００２６】
１…ハウジング
２…スライダ
３…係止物
１０…収容空間
１１…ガイドバー
１２…ガイド溝
２１…本体部
２２…作動部
２３…ガイド突条
２４…押動部
３１…フック部
３２…斜面部
２５…付勢手段
２２１…突起部
２２２…摺動路
２４１…係合溝
２２１１…位置決め端
２４１１…当接面
３１１…押え面
【図１】
2010190033.tif 000003
【図２】
2010190033.tif 000004
【図３】
2010190033.tif 000005
【図４】
2010190033.tif 000006
【図５】
2010190033.tif 000007
【図６】
2010190033.tif 000008
【図７】
2010190033.tif 000009
【図８】
2010190033.tif 000010